(57)【特許請求の範囲】
【請求項１】
本体と分離可能な複数のモジュールを備え、前記本体の直流電圧から前記モジュールごとに所望直流電圧を発生する絶縁電源装置において、
前記本体に設けられ、制御信号に基づいて前記直流電圧から交流電圧を発生する交流電圧発生部と、
前記本体に設けられ、前記交流電圧発生部の交流電圧が入力される第１のトランスと、
前記モジュールごとに設けられ、前記第１のトランスが出力する交流電圧が入力される第２のトランスと、
前記モジュールに第２のトランスごとに設けられ、第２のトランスの出力する交流電圧が入力され、整流平滑を行い、前記所望直流電圧を出力する整流平滑回路と、
前記本体に設けられ、前記第１のトランスが出力する交流電圧が入力され、交流電圧に基づいた制御信号を、前記交流電圧発生部に絶縁して与える絶縁部と
を有することを特徴とする絶縁電源装置。
【請求項２】
第１、第２のトランス、絶縁部を基礎絶縁としたことを特徴とする請求項１記載の絶縁電源装置。
【請求項３】
絶縁部は、少なくともフォトカプラまたはトランスのいずれかを設けたことを特徴とする請求項１または２記載の絶縁電源装置。
【請求項４】
絶縁部は、
第１のトランスが出力する交流電圧に基づいた制御信号を出力する制御部と、
この制御部の制御信号が入力され、交流電圧発生部に出力するフォトカプラと
を設けたことを特徴とする請求項１または２記載の絶縁電源装置。
【請求項５】
制御部は、
第１のトランスが出力する交流電圧の振幅を検出する交流振幅検出部と、
この交流振幅検出部の出力電圧と基準電圧とを比較し、誤差を示す制御信号をフォトカプラに出力する誤差増幅部と
を設けたことを特徴とする請求項４記載の絶縁電源装置。
【請求項６】
交流電圧発生部は、
直流電圧を任意の直流電圧に変換するＤＣ／ＤＣコンバータと、
このＤＣ／ＤＣコンバータからの直流電圧を交流電圧に変換し、第１のトランスに入力するＤＣ／ＡＣインバータと、
フォトカプラからの制御信号に基づいて、前記ＤＣ／ＤＣコンバータを制御するコントロール・ドライバと
を設けたことを特徴とする請求項５記載の絶縁電源装置。
【請求項７】
交流電圧発生部は、
スイッチングにより交流電圧を発生することを特徴とする請求項１〜６のいずれかに記載の絶縁電源装置。
【発明の詳細な説明】
【０００１】
【発明の属する技術分野】
本発明は、複数の負荷に電力を供給する絶縁電源装置において、小型化を図ることができる絶縁電源装置に関するものである。
【０００２】
【従来の技術】
絶縁電源装置は、本体から測定モジュールに電気的に絶縁して電力を供給するものである。このような絶縁電源装置を用いる機器の例としては、測定モジュールに設けられる信号入力端子に、本体にて使用される電圧よりも高い電圧の信号が入力される機器などがあげられる。
【０００３】
さらに具体的な機器の例としては、本体と本体から電気的に絶縁されている測定モジュールが分離可能な測定器（オシロスコープや電力計等）があげられる。本体には、ハードディスクやメモリ等の測定波形を記憶する記憶部、信号処理や演算、制御を行うＣＰＵ、演算結果や測定結果を表示する表示部、測定結果を印刷するプリンタ等が設けられる。また、測定モジュールには、被測定物に電気的に接触するプローブ、被測定信号を処理する信号処理部などが設けられる。
【０００４】
測定モジュールに入力される被測定信号には、設計を超える過大な信号電圧または電流が入力される場合がある。本体と測定モジュールが電気的に絶縁されていないと、この過大入力により本体の回路が破壊されてしまう場合がある。
【０００５】
また、測定モジュールの回路を駆動するためには、本体から電力の供給をうけられるようにするか、測定モジュールごとに電源が必要となる。
【０００６】
このような絶縁電源装置の構成を図３に示し説明する。図３において、電力を供給する側である本体１０、電力を供給される側である複数の測定モジュール２ａ〜２ｃから構成される。
【０００７】
本体１０は、内部に直流電圧発生部１１が設けられる。直流電圧発生部１１は、一定の直流電圧を出力するものである。複数の測定モジュール２ａ〜２ｃは、測定モジュールごとに図示しない負荷回路、強化絶縁されたスイッチング電源部２０が設けられる。強化絶縁とは、海外の安全規格（ＩＥＣ６０９５０、ＥＮ６０９５０、ＵＬ１９５０等）で規定される絶縁の種類であり、他に基礎絶縁がある。基礎絶縁とは、感電に対する基礎的な保護の役目をしている絶縁である。また強化絶縁とは、例えばＩＥＣ９５０で規定した条件のもとで、二重絶縁と同程度に感電に対する保護を行うことができる単一の絶縁体系を指す。
【０００８】
スイッチング電源部２０は、入力側が直流電圧発生部１１の出力側と電気的に接続され、出力側が図示しない負荷回路と電気的に接続される。スイッチング電源部２０は、入力側の直流電圧を任意の電圧にして出力するが、入力側と出力側は強化絶縁されていて、電気的に絶縁されている。
【０００９】
さらに詳細に、スイッチング電源部２０の構成を図４に示し説明する。スイッチング電源部２０は、スイッチング部２１、強化絶縁されたトランス２２、整流平滑回路２３、誤差検出部２４、強化絶縁されたフォトカプラ２５、コントロール・ドライバ２６から構成される。
【００１０】
スイッチング部２１は、パワーＭＯＳＦＥＴ等のスイッチ素子等により構成される。スイッチング部２１の入力側は、直流電圧発生部１１の出力側と電気的に接続される。スイッチング部２１は、スイッチ素子のオン・オフの動作により、入力された直流電圧を矩形波状の交流電圧にして出力する。またスイッチング部２１は、スイッチ素子のオン・オフを制御するための制御信号入力端を有する。
【００１１】
トランス２２は、１次巻き線側がスイッチング部２１の出力側と電気的に接続される。トランス２２は、１次巻き線側に入力された信号により２次巻き線側に信号を誘起させるものであり、１次側と２次側とは電気的に強化絶縁されている。
【００１２】
整流平滑回路２３は、入力側がトランス２２の２次巻き線側と電気的に接続される。また、整流平滑回路２３は、ダイオード、コンデンサ等から構成され、２次巻き線側からの交流電圧を整流平滑化し、直流電圧として後段の図示しない負荷回路へ出力する。
【００１３】
誤差検出部２４は、基準電圧部２４Ａと誤差増幅部２４Ｂから構成される。基準電圧部２４Ａは、基準電圧を発生する。誤差増幅部２４Ｂは、入力側の一端が整流平滑回路２３の出力側と電気的に接続され、入力側の他端が基準電圧部２４Ａの出力端と電気的に接続され、整流平滑回路２３の出力信号と基準電圧部２４Ａの基準電圧とを比較し、誤差分を増幅して出力する。
【００１４】
フォトカプラ２５は、入力側が誤差増幅部２４の出力側と電気的に接続される。フォトカプラ２５は、入力側に入力された信号に対応した信号を出力側に伝えるが、入力側と出力側は電気的に強化絶縁されている。
【００１５】
コントロール・ドライバ２６は、入力側がフォトカプラ２５の出力側と電気的に接続され、出力側がスイッチング部２１の制御信号入力端と電気的に接続される。コントロール・ドライバ２６は、フォトカプラ２５の出力信号をうけ、スイッチング部２１のスイッチ素子のオン・オフを制御する信号を出力する。
【００１６】
このような装置において、複数の測定モジュール２ａ〜２ｃに電力を供給する動作を以下に説明する。直流電圧発生部１１は、複数の測定モジュール２ａ〜２ｃごとに設けられるスイッチング電源部２０に、直流電圧を出力する。
【００１７】
スイッチング電源部２０では、入力側に入力された直流電圧を制御信号に従ってスイッチング部２１のスイッチ素子をオン・オフすることにより、矩形波状の信号を生成する。トランス２２では、１次巻き線側に入力された矩形波状の信号に対応した信号が２次巻き線側に誘起される。この誘起された信号を整流平滑回路２３にて、直流電圧に変換して出力し、負荷に電力を供給する。ここで、スイッチング電源部２０からの出力信号の電圧は、スイッチ素子のオン・オフのデューティ比によって決まる。
【００１８】
また、スイッチング電源部２０からの出力電圧を安定にするため、スイッチング部２１、トランス２２、整流平滑回路２３、誤差検出部２４、フォトカプラ２５、コントロール・ドライバ２６によって、フィードバック・ループを形成している。
【００１９】
誤差検出部２４は、整流平滑回路２３の出力信号と、基準電圧部２４Ａの基準電圧との誤差を増幅し、フォトカプラ２５に信号を出力する。フォトカプラ２５は、入力信号に対応した出力信号を、コントロール・ドライバ２６に出力する。コントロール・ドライバ２６は、入力された信号からスイッチング部２１のスイッチ素子を制御する信号を生成し、スイッチング部２１の制御信号入力端に出力する。スイッチング部２１は、この信号をうけ、スイッチ素子のオン・オフのデューティ比を制御し、スイッチング電源部２０の出力信号を安定にしている。
【００２０】
つまり、誤差検出部２４、フォトカプラ２５、コントロール・ドライバ２６は、スイッチング電源部２０の出力信号を安定にするための、出力信号の制御部とみなせる。
【００２１】
【発明が解決しようとする課題】
このように、複数の測定モジュール２ａ〜２ｃを駆動するために、測定モジュールごとにスイッチング電源部２０が必要である。また、安定化した信号を得るために、基準電圧部２４Ａ、誤差増幅部２４Ｂ、フォトカプラ２５、コントロール・ドライバ２６から構成される出力信号の制御部を測定モジュールごとに必要とし、多くの部品とスペースを必要する。
【００２２】
また、海外の安全規格のため、基礎絶縁よりもトランスの１次巻き線側と２次巻き線側に絶縁材を付加したり、距離を離し強化絶縁としている。同様に、フォトカプラも絶縁材の付加や素子間の距離を保つことにより強化絶縁としている。そのため、トランス及びフォトカプラは形状が大きくなってしまい、測定モジュールの形状も大きくなるという問題点があった。
【００２３】
そこで本発明の目的は、小型化を図ることができる絶縁電源装置を実現することにある。
【００２４】
【課題を解決するための手段】
請求項１記載の発明は、
本体と分離可能な複数のモジュールを備え、前記本体の直流電圧から前記モジュールごとに所望直流電圧を発生する絶縁電源装置において、
前記本体に設けられ、制御信号に基づいて前記直流電圧から交流電圧を発生する交流電圧発生部と、
前記本体に設けられ、前記交流電圧発生部の交流電圧が入力される第１のトランスと、
前記モジュールごとに設けられ、前記第１のトランスが出力する交流電圧が入力される第２のトランスと、
前記モジュールに第２のトランスごとに設けられ、第２のトランスの出力する交流電圧が入力され、整流平滑を行い、前記所望直流電圧を出力する整流平滑回路と、
前記本体に設けられ、前記第１のトランスが出力する交流電圧が入力され、交流電圧に基づいた制御信号を、前記交流電圧発生部に絶縁して与える絶縁部と
を有することを特徴とするものである。
【００２６】
請求項２記載の発明は、請求項１記載の発明において、
第１、第２のトランス、絶縁部を基礎絶縁としたことを特徴とするものである。
【００２７】
請求項３記載の発明は、請求項１または請求項２記載の発明において、
絶縁部は、少なくともフォトカプラまたはトランスにいずれかを設けたことを特徴とするものである。
【００２８】
請求項４記載の発明は、請求項１または請求項２記載の発明において、
絶縁部は、
第１のトランスが出力する交流電圧に基づいた制御信号を出力する制御部と、
この制御部の制御信号が入力され、交流電圧発生部に出力するフォトカプラと
を設けたことを特徴とするものである。
【００２９】
請求項５記載の発明は、請求項４記載の発明において、
制御部は、
第１のトランスが出力する交流電圧の振幅を検出する交流振幅検出部と、
この交流振幅検出部の出力電圧と基準電圧とを比較し、誤差を示す制御信号をフォトカプラに出力する誤差増幅部と
を設けたことを特徴とするものである。
【００３０】
請求項６記載の発明は、請求項５記載の発明において、
交流電圧発生部は、
直流電圧を任意の直流電圧に変換するＤＣ／ＤＣコンバータと、
このＤＣ／ＤＣコンバータからの直流電圧を交流電圧に変換し、第１のトランスに入力するＤＣ／ＡＣインバータと、
フォトカプラからの制御信号に基づいて、前記ＤＣ／ＤＣコンバータを制御するコントロール・ドライバと
を設けたことを特徴とするものである。
【００３１】
請求項７記載の発明は、請求項１〜６のいずれかに記載の発明において、
交流電圧発生部は、
スイッチングにより交流電圧を発生することを特徴とするものである。
【００３２】
【発明の実施の形態】
以下図面を用いて本発明の実施の形態を説明する。図１は本発明の一実施例を示した構成図である。ここで、図３と同一のものは同一符号を付し、説明を省略する。
【００３３】
図１において、本体１０と複数の測定モジュール２ａ〜２ｃとから構成される。本体１０は、直流電圧発生部１１、交流電圧発生部１２、第１のトランス１３、制御部１４、基礎絶縁されたフォトカプラ１５から構成される。複数の測定モジュール２ａ〜２ｃは、測定モジュールごとに基礎絶縁された電源２７、図示しない負荷から構成さる。
【００３４】
交流電圧発生部１２は、ＤＣ／ＤＣコンバータ１２Ａ、ＤＣ／ＡＣインバータ１２Ｂ、コントロール・ドライバ１２Ｃから構成される。
【００３５】
ＤＣ／ＤＣコンバータ１２Ａは、入力側が直流電圧発生部１１の出力側と電気的に接続され、出力信号の電圧を制御するための制御信号入力端を有する。ＤＣ／ＤＣコンバータ１２Ａは、直流電圧発生部１１の直流電圧を、制御信号によって制御された任意の直流電圧Ｖｄｃｏに変換する。このＤＣ／ＤＣコンバータ１２ＡはパワーＭＯＳＦＥＴなどのスイッチ素子を含み、このスイッチのオン・オフにより出力信号の電圧を制御している。
【００３６】
ＤＣ／ＡＣインバータ１２Ｂは、入力側がＤＣ／ＤＣコンバータ１２Ａの出力側と電気的に接続され、入力側の直流電圧を矩形波状の交流電圧に変換し出力する。図２に示すように、矩形波の交流信号のデューティ比ＴｈとＴｌは一定であり、入力される直流信号の電圧によって、交流信号の電圧の振幅Ｖａｃが制御される。
【００３７】
コントロール・ドライバ１２Ｃは、出力側がＤＣ／ＤＣコンバータ１２Ａの制御信号入力端と電気的に接続される。コントロール・ドライバ１２Ｃは、入力信号からＤＣ／ＤＣコンバータ１２Ａの出力信号の直流電圧を制御する信号Ｖｅを出力する。
【００３８】
第１のトランス１３は、１次巻き線側がＤＣ／ＡＣインバータ１２Ｂの出力側と電気的に接続される。第１のトランス１３は、１次巻き線側に入力された信号により２次巻き線側に信号を誘起させるものであり、１次側と２次側とは電気的に基礎絶縁されている。
【００３９】
制御部１４は、交流振幅検出部１４Ａ、基準電圧部１４Ｂ、誤差増幅部１４Ｃから構成される。交流振幅検出部１４Ａは、入力側が第１のトランス１３の２次側と電気的に接続され、第１のトランス１３の交流電圧の振幅Ｖａｃに対応した直流電圧Ｖａを出力する。基準電圧部１４Ｂは、基準電圧Ｖｒを出力する。誤差増幅部１４Ｃは、入力側の一端が交流振幅検出部１４Ａの出力側と電気的に接続され、入力側の他端が基準電圧部１４Ｂの出力端と電気的に接続される。そして、誤差増幅部１４Ｃは、基準電圧Ｖｒと交流振幅検出部１４Ａの出力である直流電圧Ｖａとを比較し、その差分を増幅して出力信号Ｖｂを出力する。
【００４０】
基礎絶縁されたフォトカプラ１５は、入力側が誤差増幅部１４Ｃの出力側と電気的に接続され、出力側がコントロール・ドライバ１２Ｃの入力側と電気的に接続される。フォトカプラ１５は、入力側に入力された信号Ｖｂに対応した信号を出力側に伝えるが、入力側と出力側は電気的に基礎絶縁されている。
【００４１】
電源２７は、第２のトランス２８と整流平滑回路２９から構成される。第２のトランス２８は、１次巻き線側が第１のトランス１３の２次巻き線側と電気的に接続され、１次巻き線側に入力された信号により２次巻き線側に信号を誘起させるものであり、１次側と２次側とは電気的に基礎絶縁されている。整流平滑回路２９は、ダイオード、コンデンサ等から構成され、入力側が第２のトランス２８の２次巻き線側と電気的に接続され、出力側が図示しない負荷回路と電気的に接続され、２次巻き線側からの交流電圧を整流平滑化し、直流電圧Ｖｄｃとして後段の図示しない負荷回路へ出力する。
【００４２】
このような装置において、複数の測定モジュール２ａ〜２ｃの負荷回路に電力を供給する動作を以下に説明する。直流電圧発生部１１は、ＤＣ／ＤＣコンバータ１２Ａの入力側に、直流電圧を出力する。
【００４３】
そして、ＤＣ／ＤＣコンバータ１２Ａは、制御信号入力端に入力される制御信号Ｖｅによって制御された直流電圧Ｖｄｃｏを出力する。制御信号Ｖｅと出力信号の直流電圧Ｖｄｃｏは係数ｋ１を用いて表すと式（１）となる。
Ｖｄｃｏ＝ｋ１・Ｖｅ                                        （１）
【００４４】
ＤＣ／ＡＣインバータ１２Ｂは、ＤＣ／ＤＣコンバータ１２Ａの出力電圧Ｖｄｃｏから、矩形波状の交流信号で電圧の振幅がＶａｃｏとなる出力を生成する。このとき、ＤＣ／ＡＣインバータ１２Ｂの入力信号Ｖｄｃｏと出力信号Ｖａｃｏは、係数ｋ２を用いて表すと式（２）となる。
Ｖａｃｏ＝ｋ２・Ｖｄｃｏ                                    （２）
【００４５】
第１のトランス１３は、ＤＣ／ＡＣインバータ１２Ａの出力電圧Ｖａｃｏが１次巻き線側に印加され、２次巻き線側に巻き数比に比例した電圧を誘起する。このとき、１次巻き線側の入力信号である交流電圧の振幅Ｖａｃｏと２次巻き線側の出力信号である交流電圧の振幅Ｖａｃは、巻き数比によって定まる係数ｋ３を用いて表すと式（３）となる。
Ｖａｃ＝ｋ３・Ｖａｃｏ                                      （３）
【００４６】
式（１）〜（３）より、ＶａｃとＶｅの関係は、式（４）となる。ここで、Ｋ１＝ｋ１・ｋ２・ｋ３である。
Ｖａｃ＝Ｋ１・Ｖｅ                                          （４）
【００４７】
交流振幅検出部１４Ａは、第１のトランス１３から出力される交流電圧の振幅Ｖａｃに応じた直流電圧Ｖａを出力する。交流電圧Ｖａｃと直流電圧Ｖａは、係数Ｋ２を用いて表すと式（５）となる。
Ｖａ＝Ｋ２・Ｖａｃ                                          （５）
【００４８】
誤差増幅部１４Ｃは、交流振幅検出部１４Ａから出力された直流電圧Ｖａと基準電圧部１４Ｂの基準電圧Ｖｒとを比較してその差分を増幅し、出力電圧Ｖｂを出力する。誤差増幅部の増幅度をＡとすると、直流電圧Ｖａ、基準電圧Ｖｒ、出力電圧Ｖｂの関係は式（６）となる。
Ｖｂ＝Ａ（Ｖａ−Ｖｒ）                                      （６）
【００４９】
フォトカプラ１５は、誤差増幅部１４Ｃからの出力信号Ｖｂに対応した出力を、コントロール・ドライバ１２Ｃに出力する。コントロール・ドライバ１２Ｃは、入力された信号から制御入力端子に出力する制御信号Ｖｅを生成する。このとき、出力信号Ｖｂと制御信号Ｖｅは、係数Ｋ３を用いて表すと式（７）となる。Ｖｅ＝Ｋ３・Ｖｂ                                            （７）
【００５０】
このように、交流電圧発生部１２、第１のトランス１３、制御部１４、フォトカプラ１５とで閉ループであるフィードバック・ループを構成している。式（４）〜（７）から、Ｖａｃは式（８）で表される。
0003575545.tif 000002
【００５１】
ここで、誤差増幅部１４Ｃの増幅度Ａを４０ｄＢ（１００倍）程度に設定すれば、式（８）は式（９）とみなせる。
【数１】
0003575545.tif 000003
【００５２】
つまり式（９）より、第１のトランス１３の出力電圧Ｖａｃは、基準電圧Ｖｒにより決定される。
【００５３】
第２のトランス２８は、１次巻き線側に第１のトランス１３の出力電圧Ｖａｃが印加され、２次巻き線側に巻き数比に応じた交流電圧が誘起される。整流平滑回路２９は第２のトランス２８からの交流信号を整流平滑化し、負荷に直流電圧Ｖｄｃを供給する。このように負荷に供給される直流電圧Ｖｄｃは、フィードバック・ループによって振幅制御が行われた交流電圧の振幅Ｖａｃに対応する。
【００５４】
ここで、複数の電源２７ごとに設けられている第２のトランス２８、整流平滑回路２９の特性は個々に異なるため出力の直流電圧Ｖｄｃにも差を生じるが、実用上無視できる範囲である。
【００５５】
電気的な接続は、直流電圧発生部１１と整流平滑回路２３の出力側とが、第１、第２のトランス１３、２８のそれぞれによって基礎絶縁されているので、全体として２重絶縁が施された構成になっている。
【００５６】
このように、フィードバック・ループは整流平滑回路２９の出力信号Ｖｄｃを安定に保つための制御信号を生成する。このフィードバック・ループの帰還信号には、電源２７の出力信号Ｖｄｃでなく、第１のトランス１３の出力信号Ｖａｃを用いている。これにより、フィードバック・ループは、複数の測定モジュールごとに設ける必要がなく、本体に一箇所だけ設ければよい。よって、電源２７はトランス２８と整流平滑回路２９だけで構成される。従って、回路の小型化ができ、安価に作成できる。
【００５７】
また、交流電圧発生部１２、第１のトランス１３、フォトカプラ１５、制御部１４によってフィードバック・ループを形成して、第１のトランス１３の出力信号の振幅Ｖａｃを制御している。これにより、式（９）に示すように第１のトランス１３の出力信号Ｖａｃは、測定モジュール２ａ〜２ｃの負荷にかかわらず一定となる。従って、整流平滑回路２９の出力の直流電圧Ｖｄｃも安定に保たれている。
【００５８】
そして、第１のトランス１３、第２のトランス２８を２個用いて、測定モジュール２ａ〜２ｃの負荷に電力供給している。これにより、電力の供給側と被供給側で二重絶縁の要求があるシステムであっても、トランスを２個用いるので個々のトランスは基礎絶縁とすることができる。従って、回路の小型化ができ、安価に作成できる。
【００５９】
さらに、制御部１４の帰還信号に用いる信号は、第１のトランス１３の出力である交流信号Ｖａｃを使用している。これにより、フィードバック・ループ内のフォトカプラ１５も基礎絶縁とすることができる。従って、回路の小型化ができ、安価に作成できる。
【００６０】
また、従来のように独立したスイッチング周波数を持つスイッチング電源が複数存在する場合、スイッチング電源のスイッチング周波数の違いにより、各測定モジュール間にビートが発生する。それに対して、スイッチングを行っているのは、交流電圧発生部１２のみなので、これにより各測定モジュール間でビートは発生しない。
【００６１】
そして、電源２７で発熱する部分はほとんどなく、大部分の発熱は、交流電圧発生部１２のＤＣ／ＤＣコンバータ１２Ａ、ＤＣ／ＡＣインバータ１２Ｂで発生する。これにより、回路設計で発熱部を一箇所に集中できる。従って、冷却効率をよくできる。
【００６２】
なお、本発明はこれに限定されるものではなく、以下のようなものでもよい。
測定モジュールは、図１において３個としたが何個でもよい。
【００６３】
また、本体と測定モジュールが、分離可能な測定器をあげたが、本体と測定モジュールが一体化されている測定器であってもよい。
【００６４】
そして、第２のトランスは複数個設ける構成としたが１個の構成でもよい。つまり、１次側のコイルは１個として、２次側のコイルは複数個とする。そして、２次側のコイルは、所望直流電圧を出力する整流平滑回路ごとに設ける構成とする。
【００６５】
また、ＤＣ／ＤＣコンバータ１２ＡまたはＤＣ／ＡＣインバータ１２Ｂのいずれかはスイッチ素子を用いない構成としてもよい。
【００６６】
さらに、絶縁部は、制御部１４、フォトカプラ１５とにより構成した例を示したが、フォトカプラ１５のみで構成してもよい。このような構成の場合、制御部１４を交流電圧発生部１２内に設け、フォトカプラ１５は、トランス１３の出力を入力し、交流電圧発生部１２内の制御部１４に与える構成にする。
【００６７】
また、制御部１４がコントロール・ドライバ１２Ｃを設ける構成にしてもよい。このような構成の場合、コントロール・ドライバ１２Ｃは、誤差増幅部１４Ｃの出力を直接入力し、フォトカプラ１５を介して、出力をＤＣ／ＤＣコンバータ１２Ａに与える構成にする。
【００６８】
さらに、フォトカプラ１５は、基礎絶縁されたトランスとしてもよい。つまり、トランス１３が出力する交流電圧に基づいた制御信号を、交流電圧発生部１２に絶縁して与える構成であればよい。なお、トランスを用いた場合は、トランスを通過させる信号は交流信号であることはういまでもない。
【００６９】
【発明の効果】
本発明によれば、絶縁部が、第１のトランスが出力する交流電圧に基づいた制御信号を交流電圧発生部にフィードバックするので、整流平滑回路の出力ごとにフィードバック・ループを設ける必要がない。つまり、フィードバック・ループは１つでよいので、絶縁電源装置を小型化でき、安価にできる。
【００７０】
また、第１、第２のトランスの２つにより、絶縁を確保し、第１のトランスの出力をフィードバックしているので、第１、第２のトランス、絶縁部の絶縁を小型化でき、安価にできる。
【００７１】
そして、複数の所望直流電圧ごとに設けられる構成は、第２のトランス、整流平滑回路、発熱を考慮しなくてよく、交流電圧発生部の一箇所に発熱部を集中でき、冷却を効率よく行うことができる。
【００７２】
請求項７によれば、交流電圧発生部のみがスイッチングを行っているので、ビートを防止することができる。
【図面の簡単な説明】
【図１】本発明の一実施例を示した構成図である。
【図２】本発明の第１のトランスからの出力信号における時間と電圧の関係を示す図である。
【図３】従来の絶縁電源装置の構成を示した構成図である。
【図４】従来の絶縁電源装置の一部分の詳細な構成を示した構成図である。
【符号の説明】
１２  交流電圧発生部
１２Ａ  ＤＣ／ＤＣコンバータ
１２Ｂ  ＤＣ／ＡＣインバータ
１２Ｃ  コントロール・ドライバ
１３  第１のトランス
１４  制御部
１４Ａ  交流振幅検出部
１４Ｂ  基準電圧部
１４Ｃ  誤差増幅部
１５  フォトカプラ
２７  基礎絶縁された電源
２８  第２のトランス
２９  整流平滑回路
【図１】
0003575545.tif 000004
【図２】
0003575545.tif 000005
【図３】
0003575545.tif 000006
【図４】
0003575545.tif 000007